(57)【要約】      （修正有）【課題】数の多い小規模な二酸化炭素発生源から大気中に放出され拡散した二酸化炭素を効率良く回収、固定化する装置を提供する。【解決手段】水を張った水槽３内に布袋４を設置、布袋内には消石灰粉を加工した消石灰粒を筒内５に収納、常に高濃度の水酸化カルシウム溶液を保持させる。大気を誘導管１を介して圧送し、微泡散気管２を通じて溶液と気液接触させ、反応に伴って生成される炭酸カルシウムを布袋底部に沈殿させて回収し、有効利用する。【選択図】図１
0003166126.tif 000002
【実用新案登録請求の範囲】
【請求項１】
消石灰粉を消石灰粒にし、全面に細かい穴を設けた筒に収納、筒を水槽内に設けた布袋の内面に配置する。外部から圧送された大気は散気管により水槽内の水と混合、筒内部の消石灰粒を水に溶解させ、水槽内の溶液が大気中の二酸化炭素と反応しても濃度の低下が起きず、溶液は常に高濃度の水酸化カルシウムとなるようにしたことを特徴とする。大気中に拡散した二酸化炭素を固定化し、回収する装置。
【考案の詳細な説明】
【技術分野】
【０００１】  本考案は、大気中に拡散した二酸化炭素の回収装置に関するものである。
【背景技術】
【０００２】  化石燃料の燃焼排ガスには多量の二酸化炭素が含まれている。この二酸化炭素を多量に大気中に放出すれば、いわゆる温室効果ガスとして地球温暖化を招き、地球環境に著しい悪影響をもたらすことは周知の事実である。そこで、この地球温暖化を防止するため世界的なエネルギー政策の見直しや二酸化炭素の排出抑制が検討されているが、大気中に拡散した二酸化炭素の回収方法は未だ手付かずの状態である。
【考案の概要】
【考案が解決しようとする課題】
【０００３】  現在、二酸化炭素の増加による地球温暖化が問題視されている。そのため、二酸化炭素発生源である工場から直接二酸化炭素の回収・固定化を行う方法が数多く提案されている。しかし、小規模な二酸化炭素発生源は非常に多く、野放し状態で大気中に拡散してしまっている。このように大気中に拡散した二酸化炭素を効率よく固定化し有用物質として回収しようとするものである。
【課題を解決するための手段】
【０００４】  本考案は、大気中に拡散した二酸化炭素を簡単な設備で効率的に除去できないかを探求した。その結果、大気中に拡散した二酸化炭素、主として厨房、集会場、混雑した車内、石油ストーブ等に適した二酸化炭素の回収方法を解決した。なお、回収量は５〜２０ｋｇとしたため、設備面積が小さい場所にも付設を可能にした。
【考案の効果】
【０００５】  上述の様に、多数の場所から少量の二酸化炭素を固定化させ、設置場所を選ばず、この装置を通過した大気は二酸化炭素を含まず、地球温暖化防止に貢献できる。また、回収された炭酸カルシウムは土壌改良剤・樹脂の増強剤・セメント増量剤・建築用資材、その他多岐に活用できる。
その方法の特徴とするところは、消石灰粉を消石灰粒にし、布袋内面の側壁に数ヶ所の消石灰粒を収納する筒を取付け、水を張った水槽内に固定し、圧送された大気と吸収槽内の水と混合させることにより、消石灰粒と吸収槽内の水が反応して常に高濃度の水酸化カルシウム溶液とした。この溶液は、圧送された大気中に含まれる二酸化炭素と反応し、布底部に炭酸カルシウムとして沈殿する。布袋は水槽内より簡単に取出せ、水分を除去、乾燥させることにより炭酸カルシウムを有用物質として回収出来るようにしたことにある。
【図面の簡単な説明】
【０００６】
【図１】本考案の大気中に拡散した二酸化炭素を回収する一実施例を示す図面である。
【考案を実施するための形態】
【０００７】  消石灰粒を収納させた布袋は水を張った水槽内にあり、消石灰粒が水槽内の水と反応し、水槽内の水は常に濃度の高い水酸化カルシウム溶液として保たれる。水酸化カルシウム溶液は、送り込まれた大気中の二酸化炭素と反応し炭酸カルシウムとなり布袋底部に沈殿する。大気中に含まれていた二酸化炭素は除去分離される。水槽内から固定された布袋を取出し乾燥、回収すれば、純度の高い炭酸カルシウムとして再利用することが出来るようにしたことにある。
すなわち、
【化１】
0003166126.tif 000003
となるので、ＣａＣＯ３を回収するようにした。
【実施例】
【０００８】  以下、添付図面に従って一実施例を説明する。図１は、密封度の高いマンション８畳間（空間容積＝約２８．５１ｍ３）の室内空気に、本考案を適用した場合のフローチャートを示すものである。なお、この際の大気中の二酸化炭素濃度は長期安全限界である０．５％を大きくオーバーしており、１．５％であった。装置を始動３０分後の二酸化炭素濃度は０．４％に低下した。【０００９】  図１で、１は大気を誘導する誘導管である。２は大気を消石灰の水溶液と気液接触させる微泡散気管である。この散気管２は、消石灰液と効率的に気液接触されるように構成してある。もちろん、その気液接触方式の手段は、効率的な気液接触が可能であればこれに限定されるものではない。【００１０】  また、水槽３の内部には布袋４が設けてあり、５は消石灰粒を収納させた筒で、布袋４の側壁に固定されている。水槽３に投入されている水と消石灰粒が反応して、常に高濃度の水酸化カルシウム液ができる。誘導管１から大気が誘導され、布袋４内部の水酸化カルシウム液と気液接触することのより、炭酸カルシウムが生成され布袋４の底部に沈殿する。４は６の籠と共に外部へ取り出せる構造になっている。
【符号の説明】
【００１１】１  大気誘導管
２  微泡散気管
３  水槽
４  布袋
５  消石灰粒収納筒
６  籠
７  大気への放出管
【図１】
0003166126.tif 000004
【手続補正書】
【提出日】平成22年8月9日(2010.8.9)
【手続補正１】
【補正対象書類名】明細書
【補正対象項目名】全文
【補正方法】変更
【補正の内容】
【考案の詳細な説明】
【技術分野】
【０００１】  本考案は、大気中に拡散した二酸化炭素の回収装置に関するものである。
【背景技術】
【０００２】  大気中に拡散した二酸化炭素の回収方法は未だ手付かづの状態である。
【考案の概要】
【考案が解決しようとする課題】
【０００３】  小規模な二酸化炭素発生源は非常に多く、野放し状態で大気中に拡散してしまっている。このように大気中に拡散した二酸化炭素を効率よく固定化し有用物質として回収しようとするものである。
【課題を解決するための手段】
【０００４】  本考案は、大気中に拡散した二酸化炭素を簡単な設備で効率的に回収する装置とした。小規模な二酸化炭素発生源とは
（１）店舗・旅館などの厨房関係
（２）人の集まる集会場・催事場
（３）家庭用石油ストーブ
（４）その他
【考案の効果】
【０００５】  上述の様に、大気中に放出された二酸化炭素をこの装置を通過させて多数の場所から炭酸カルシウムとして回収する。
その効果は地球温暖化防止に寄与すると共に、回収された炭酸カルシウムは有用物質として多岐に活用出来る。
（１）土壌改良剤
（２）樹脂の増量剤
（３）セメント増量剤
（４）建築用資材
（５）その他
【図面の簡単な説明】
【０００６】
【図１】大気中に拡散した二酸化炭素を回収する一実施例を示す図面である。
【考案を実施するための形態】
【０００７】  大気中に拡散した二酸化炭素を回収するにおいて、
（１）消石灰液を入れるための水槽本体
（２）布袋を固定してあるカゴを水槽内部に設置
（３）大気を取り入れて気泡を発生させる散気管を布袋内に設置
（４）消石灰粒を入れた目の粗い袋を布袋内に固定
以上の形態により布袋内、底部に炭酸カルシウムを沈殿させ、回収する。
すなわち、
【化１】
0003166126.tif 000005
となるので、ＣａＣＯ３として水槽内の布袋底部に沈殿した炭酸カルシウムを回収するようにした。
【実施例】
【０００８】  以下、添付図面に従って一実施例を説明する。図１は、密封度の高いマンション８畳間（空間容積＝約２８．５１ｍ３）に、本考案を適用した結果、３０分後に室内空気の二酸化炭素濃度は１．５％から０．４％に低下した。ちなみに、空気中の二酸化炭素濃度の長期安全限界は０．５％である。【０００９】  図１において
（１）１は誘導管で、二酸化炭素を含んだ大気を微泡散気管に誘導する
（２）２は微泡散気管で、大気を消石灰の水溶液内にて効率的に気液接触させる
（３）３は水槽本体で、消石灰の水溶液が入っている
（４）４は布袋で、沈殿した炭酸カルシウムは布袋底部に堆積する
（５）５は消石灰粒を収納している目の粗い収納筒で、水槽内水溶液を常に高アルカリ溶液に保持する
（６）６はカゴで、４の布袋の形状を保持する
（７）７は放出管で、二酸化炭素が除去された大気を外部に放出する【００１０】  布袋４に堆積した炭酸カルシウムは、６のカゴと共に外部へ取り出せる構造になっている。
【符号の説明】
【００１１】  １  大気誘導管
２  微泡散気管
３  水槽本体
４  布袋
５  消石灰粒収納筒
６  カゴ
７  外部への放出管
【手続補正２】
【補正対象書類名】実用新案登録請求の範囲
【補正対象項目名】全文
【補正方法】変更
【補正の内容】
【実用新案登録請求の範囲】
【請求項１】
大気中に拡散した二酸化炭素を固定化するために、水槽内溶液を常に高アルカリ濃度を保持させるための装置において
（１）大気を取り込む誘導管
（２）微泡散気管
（３）水槽本体
（４）布袋
（５）消石灰粒収納筒
（６）カゴ
（７）外部への放出管
以上の構成からなる大気中に拡散した二酸化炭素を固定化し、回収する装置。
【手続補正３】
【補正対象書類名】図面
【補正対象項目名】全図
【補正方法】変更
【補正の内容】
【図１】
0003166126.tif 000006
【手続補正書】
【提出日】平成22年11月17日(2010.11.17)
【手続補正１】
【補正対象書類名】実用新案登録請求の範囲
【補正対象項目名】全文
【補正方法】変更
【補正の内容】
【実用新案登録請求の範囲】
【請求項１】
大気中に拡散した二酸化炭素を固定化するために、水槽内溶液を常に高アルカリ濃度を保持させるための装置において、
（１）大気を取り込む誘導管
形状は円形（配管）であり、外部より大気を水槽内に送り込む誘導管であり、
（２）微泡散気管
形状は円形（配管）または円盤状であり、誘導管に接続されており、水槽内の布袋の上に設置され、微泡を発する構造となっており、
（３）水槽本体
形状は長方形または円筒形であり、内部は水を溜める構造となっており、
（４）布袋
形状は長方形または円筒形であり、水槽本体内に設置されるカゴ内面に張られ、布目の粗さは２００メッシュの構造となっており、
（５）消石灰粒収納筒
形状は長方形であり、布袋内面に接続しており、表面の粗さは１５０メッシュの構造となっており、
（６）カゴ
形状は長方形または円筒形であり、丸棒にて構成され水槽内部に設置、カゴ内面に置かれた布袋の形状を保護する構造となっており、
（７）外部への放出管
形状は円筒形であり、水槽本体の蓋に接続され、水槽内の気体を外部に放出する構造となっている、
以上の構成からなる大気中に拡散した二酸化炭素を固定化し、回収する装置。